(57)【要約】【課題】後脚が不自由な犬や猫のペットと一体性を高めたペット用歩行補助車を提供する。【解決手段】載置台2は３つの前輪4、後輪6を有し、スペーサ8によって高さ調整可能である。載置台2は、犬Dの腹部を受ける前側隆起部10と、折り畳んだ、もしくは伸ばした後脚を受け入れる凹所12と、股間を受ける後側隆起部14とを有する。載置台2は左右の側壁16を有し、各側壁16には、その前端から後部に向けて４つのスリット20が一列に形成されている。【選択図】図１
2014135929.tif 000002
【特許請求の範囲】
【請求項１】
車輪を備えた載置台を有するペット用歩行補助車であって、
前記載置台が、ペットの折り畳んだ、もしくは伸ばした後脚を受け入れる左右の凹所と、ペットの腹部を受け止める第１隆起部とを有することを特徴するペット用歩行補助車。
【請求項２】
前記載置台が、ペットの股間を受け止める第２の隆起部を更に有する、請求項１に記載のペット用歩行補助車。
【請求項３】
前記載置台が左右の側壁を有し、
該側壁にスリットが形成され、
該スリットに、ペットを前記載置台に固定するためのベルトが受け入れられる、請求項１又は２に記載のペット用歩行補助車。
【請求項４】
前記スリットが前記側壁の前後方向に離間して複数形成されている、請求項３に記載のペット用歩行補助車。
【請求項５】
前記車輪と前記載置台との間に脱着可能なスペーサが介装され、該スペーサによって高さ調整可能である、請求項１〜４のいずれか一項に記載のペット用歩行補助車。
【発明の詳細な説明】
【技術分野】
【０００１】
この発明は、一般的にはペットの介護用品に関し、より詳しくはペット（典型的には犬）の歩行補助車に関する。
【背景技術】
【０００２】
ペット用歩行補助車は典型的には犬に向けて開発されており、「犬用車椅子」とも呼ばれている。この犬用車椅子は、老齢化、椎間板ヘルニア、事故等によって歩行困難になった犬に対して、その後脚の代わりに車輪を与えることを主眼に開発されている。
【０００３】
特許文献１に開示の歩行補助車は、犬の左右の後脚を受け入れる左右一対のリング状のサドルと、各サドルを支持する左右一対の上下に延びる縦棒とを有し、左右の縦棒の下端には夫々車輪が方向変換不能に取り付けられている。左右の縦棒の上下方向中間部分には犬の体側に沿って横方向に延びる左右一対の横棒が連結され、左右の横棒の前端部には犬の胸部分を包囲する胸ベルトが取り付けられ、また、犬の肩部分に上方から接する肩棒が左右の横棒の前端に連結されている。
【０００４】
この特許文献１の歩行補助車を使うことで、後脚が不自由な犬は、各後脚をこれに対応するサドルの中に入れた状態で支持され、後脚の代わりに左右の車輪が接地して回転することで前脚の脚力によって前進することできる。
【０００５】
特許文献２に開示の歩行補助車は、４つの車輪を備えた矩形フレームにハンモック状の吊り上げベルトを有し、この吊り下げベルトで腰部を吊り上げた状態で支持し、また、矩形フレームから前方に延びる左右の連結ベルトの前端に犬の肩部及び胸部を包囲するリング状のベルトが連結されている。このリング状のベルトを犬の肩部と胸部に固定し、また腰部を吊り下げベルトで吊り上げて後脚の荷重を軽減することで、歩行が不自由な犬を運動させることができる。また、この歩行補助車は、矩形フレームの後端に飼い主が手押しできる横棒が取り付けられている。飼い主はこの横棒に手をかけて歩行補助車を手押しして犬の運動を促すことができる。なお、４つの車輪のうち２つの前輪はキャスター付きであり、進行方向を自在に変更することができる。
【先行技術文献】
【特許文献】
【０００６】
【特許文献１】実用新案登録第３０７２２４５号公報
【特許文献２】特開２００２−３４５３６０号公報
【発明の概要】
【発明が解決しようとする課題】
【０００７】
本発明の目的は、後脚が不自由な犬や猫のペット（典型的には犬）と一体性を高めたペット用歩行補助車を提供することにある。
本発明の更なる目的は、装着が容易なペット用歩行補助車を提供することにある。
【課題を解決するための手段】
【０００８】
上記の技術的課題は、本発明によれば、
車輪を備えた載置台を有するペット用歩行補助車であって、
前記載置台が、ペットの折り畳んだ、もしくは伸ばした後脚を受け入れる左右の凹所と、ペットの腹部を受け止める第１隆起部とを有することを特徴とするペット用歩行補助車を提供することにより達成される。
【０００９】
本発明の上記の目的及び他の目的、作用効果は以下の好ましい実施例の詳細な説明から明らかになろう。
【図面の簡単な説明】
【００１０】
【図１】実施例の犬用の歩行補助車を斜め前方から視た斜視図。
【図２】実施例の犬用の歩行補助車の正面図。
【図３】実施例の犬用の歩行補助車の平面図。
【図４】実施例の犬用の歩行補助車の右側面図。
【図５】実施例の犬用の歩行補助車を下方から見た底面図。
【図６】実施例の歩行補助車を後方から見た背面図。
【図７】図２のＡ−Ａ線に沿って切断した断面図。
【図８】図４のＢ−Ｂ線に沿って切断した断面図。
【図９】実施例の歩行補助車を斜め下方から見た図。
【図１０】実施例の歩行補助車の使用状態を説明するための図。
【発明を実施するための形態】
【実施例】
【００１１】
以下に、添付の図面に基づいて本発明の好ましい実施例を説明する。図１は実施例の犬用の歩行補助車を斜め前方から視た斜視図である。図２は正面図である。図３は平面図である。図４は右側面図である。左側面図は図４と同一であるので図示を省略する。図５は、実施例の歩行補助車を下から見た底面図である。図６は、実施例の歩行補助車を後方から見た背面図である。図７は、図２のＡ−Ａ線に沿って切断した断面図である。図８は、図４のＢ−Ｂ線に沿って切断した断面図である。図９は、実施例の歩行補助車を斜め下方から見た斜視図である。図１０は実施例の歩行補助車の使用状態を説明するための図である。
【００１２】
主に図１を参照して、実施例の歩行補助車１００は平面視略矩形の載置台２を有している。載置台２はプラスチック成型品である。
【００１３】
載置台２の下面には前部に左右に離間した二つの前輪４Ｒ、４Ｌ、後部の幅方向中央に一つの後輪６が取り付けられている（図９）。左右の前輪４Ｒ、４Ｌを総称するときには参照符号「４」を使って説明する。前輪４は方向転換自在の車輪で構成されている。他方、後輪６は方向転換不能な車輪で構成されている。なお、後輪６も左右一対の車輪で構成してもよい。また、左右の前輪４及び/又は後輪６を載置台２の外周縁よりも外側に張り出した状態で設置してもよい。これにより載置台２の横転防止つまり載置台２の走行安定性を向上することができる。
【００１４】
図９を参照して、前輪４及び後輪６と載置台２との間にスペーサ８を脱着可能に介装することにより高さ調整可能である。すなわち、歩行補助車１００を使用する犬の脚の長さに応じて、適当な数のスペーサ８を組み付けることで歩行補助車１００の高さ調整が可能である。すなわち、脚の短い犬にはスペーサ８を取り去るか数少ないスペーサ８が組み付けられる。他方、脚の長い犬には数多くのスペーサ８が組み付けられる。組み付けるスペーサ８の数を調整することでスペーサ８の実質的な厚み寸法を調整することができる。
【００１５】
主に図１を参照して、載置台２は、その上面が三次元形状を有している。載置台２の上面において、その幅方向中央部分の前部には犬の腹部を受ける前側隆起部１０が形成されている。この前側隆起部１０の後方、つまり犬の腰部から臀部を受け入れる後部には、その左右の縁部に沿って前後方向に延びる左右の凹所１２Ｒ、１２Ｌが形成され、この左右の凹所１２Ｒ、１２Ｌに、折り畳んだ、もしくは伸ばした後脚が受け入れられる。
【００１６】
載置台２の上面において、その後端部の幅方向中央つまり左右の凹所１２Ｒ、１２Ｌで挟まれた領域には後側隆起部１４が形成されている。この後側隆起部１４によって後脚を折り畳んだ又は伸ばした状態の犬の股間を受けることができる。
【００１７】
歩行補助車１００は、好ましくは、載置台２の左右の縁に沿って前後方向に延びる左右の側壁１６Ｒ、１６Ｌを有しているのがよい。左右の側壁１６Ｒ、１６Ｌの間の間隔は、適用する犬の大きさを念頭に置いて決定される。例えば大型犬を対象とした歩行補助車１００であれば左右の側壁１６Ｒ、１６Ｌの間の間隔は相対的に大きい。他方、例えば小型犬を対象とした歩行補助車１００であれば左右の側壁１６Ｒ、１６Ｌの間の間隔は相対的に小さい。
【００１８】
図１に見られるスリット２０は側壁１６の上端縁に沿って前後方向に複数形成されている。具体的には、左右の側壁１６Ｒ、１６Ｌには、その前端から後部に向けて４つのスリット２０が一列に形成されている。使用状態を示す図１０を参照して、参照符号Ｄは犬を示す。犬Ｄは、背中部分を包囲する固定用ハーネス２２を使って載置台２に固定される。この固定用ハーネス２２のベルト２２ａは、左右の側壁１６のスリット２０を使って固定される。図１０では図示を省略したが、必要であれば、犬Ｄの肩部から胸を包囲する第２のハーネスを用意し、この第２のハーネスを左右の側壁１６のスリット２０を使って載置台２に固定するようにしてもよい。また、必要であれば、左右の側壁１６のスリット２０にリード（図示せず）の先端を固定するようにしてもよい。図中、参照符号２４は衝突緩衝ゴム片を示す。
【００１９】
犬Ｄの後脚を含む後ろ半分つまり腰部から臀部を載置台２で支持された状態で且つ後脚を折り畳んだ状態で実施例の歩行補助車１００と一体化した状態になる。また、この載置台２は犬Ｄの体型に対応した大きさを有していることから、これを装着した犬Ｄの行動を阻害することなく、犬Ｄの前脚の動きに追従して移動する。また、載置台２はその前輪４が方向転換自在であるため、歩行補助車１００は犬Ｄが進行方向を転換してもこれに追従して方向転換することができる。
【符号の説明】
【００２０】
１００  実施例の犬用歩行補助車
２  載置台
４  前輪（４Ｒ  右前輪；４Ｌ  左前輪）
６  後輪
８  スペーサ
１０  犬の腹部を受ける前側隆起部（第１隆起部）
１２  後脚を受け入れる凹所（１２Ｒ  右側凹所；１２Ｌ  左側凹所）
１４  股間を受ける後側隆起部（第２隆起部）
１６  側壁（１６Ｒ  右側壁、１６Ｌ  左側壁）
２０  スリット
２２  固定用ハーネス
２２ａ  ハーネスのベルト
Ｄ  犬
【図１】
2014135929.tif 000003
【図２】
2014135929.tif 000004
【図３】
2014135929.tif 000005
【図４】
2014135929.tif 000006
【図５】
2014135929.tif 000007
【図６】
2014135929.tif 000008
【図７】
2014135929.tif 000009
【図８】
2014135929.tif 000010
【図９】
2014135929.tif 000011
【図１０】
2014135929.tif 000012